(57)【要約】    【課題】研掃装置において、投射されたショットが浸入したりすることなく、把持部分付き製品を適確にチャッキングすることができる装置を提供する。    【解決手段】回転駆動手段の回転軸の先端にこれの回転中心線と同心して固着された基体１と、基体１の回転中心線の指向方向へ移動してこれに対して接近・隔離可能にして基体１に装着され基体１の回転中心線と同心する製品挿通孔２を有する締付け体３と、基体１と締付け体３との間に配設され製品挿通孔２と同心状に連なるとともに製品Ｗのチャッキング部分の太さより若干小さい製品挿入用穴４を有するゴム製の弾性部材５と、を備えていて、把持部分付き製品の把持部分を製品挿入用穴に挿入する際には、基体に対して締付け体を接近させ弾性部材を圧縮変形させることにより、製品挿入用穴を押し広げ可能であることを特徴する。【選択図】  図１
2007196296.tif 000002
【特許請求の範囲】
【請求項１】
チャッキングする把持部分を有する把持部分付き製品を回転させながらこれにショットを投射して、把持部分付き製品を研掃するに当たり、把持部分付き製品を回転駆動手段の回転軸にチャッキングする装置であって、
前記回転駆動手段の回転軸の先端にこれの回転中心線と同心して固着された基体と、
この基体の回転中心線の指向方向へ移動してこれに対して接近・隔離可能にして基体に装着され基体の回転中心線と同心する製品挿通孔を有する締付け体と、
前記基体と前記締付け体との間に配設され前記製品挿通孔と同心状に連なるとともに把持部分付き製品の把持部分の太さより若干小さい製品挿入用穴を有する弾性部材と、
を備えて、
把持部分付き製品の把持部分を前記製品挿入用穴に挿入する際には、前記基体に対し前記締付け体を接近させて前記弾性部材を圧縮変形させることにより、前記製品挿入用穴を押し広げて大きくすることが可能であることを特徴する研掃装置における把持部分付き製品のチャッキング装置。
【請求項２】
請求項１に記載の研掃装置における把持部分付き製品のチャッキング装置において、
前記基体と前記締付け体とにはそれぞれ調整ねじを刻設して、前記製品挿入用穴の大きさと把持部分付き製品の把持部分の太さとの差異に対応させて前記締付け体の前記基材への接近量を調整可能としたことを特徴する研掃装置における把持部分付き製品のチャッキング装置。
【発明の詳細な説明】
【技術分野】
【０００１】
本発明は、研掃装置における把持部分付き製品のチャッキング装置に係り、より詳しくは、チャッキングする把持部分を有する把持部分付き製品を回転させながらこれにショットを投射して、把持部分付き製品を研掃するに当たり、把持部分付き製品を回転駆動手段の回転軸にチャッキングする装置に関する。      
【背景技術】
【０００２】
従来、棒状製品のチャッキング装置の一つとして、棒状ワークが挿通される第１のワーク挿通穴が軸方向に形成された基体と、前記第１のワーク挿通穴と同心状に連なる第２のワーク挿通穴が軸方向に形成された締付け体と、前記基体と締付け体との間に配設され前記第１、第２のワーク挿通穴と同心状に連なる第３のワーク挿通穴が軸方向に形成された中間体と、該中間体の軸方向端面に位置して前記第３のワーク挿通穴と同心状に配設された環状弾性体とからなり、前記第１、第２、第３のワーク挿通穴に棒状ワークを挿通した状態で前記基対に対して前記締付け体を接近させることにより、前記環状弾性体を変形させて前記棒状ワークに締付け力を与える構成としたものがある。
【特許文献１】特開平９−１２３００４号公報
【０００３】
そこで、研掃装置において、例えば、チャッキングする把持部分を有する把持部分付き製品を回転させながら、これにショットを投射して把持部分付き製品を研掃するに当たり、把持部分付き製品の把持部分を回転駆動手段の回転軸にチャッキングする装置として上述のチャッキング装置を採用し、把持部分付き製品の本体部分を、締付け体の軸方向端面に接触させて第２のワーク挿通穴を閉鎖した状態で、この把持部分付き製品の把持部分をチャッキングする場合、前記基対に対し前記締付け体を接近させてその把持部分を把持した時、これまでその本体部分で閉鎖されていた第２のワーク挿通穴の一部が開口される。このため、投射されたショットがその開口から侵入して中間体や環状弾性体を損傷させてしまう弊害が生じる。したがって、上述のチャッキング装置は、研掃装置における把持部分付き製品のチャッキング装置としては不適当であった。
【発明の開示】
【発明が解決しようとする課題】
【０００４】
本発明は上記の事情に鑑みてなされたもので、その目的は、研掃装置において、投射されたショットが浸入したりすることなく、把持部分付き製品を適確にチャッキングすることができる装置を提供することにある。      
【課題を解決するための手段】
【０００５】
上記の目的を達成するために本発明の研掃装置における把持部分付き製品のチャッキング装置は、チャッキングする把持部分を有する把持部分付き製品を回転させながらこれにショットを投射して、把持部分付き製品を研掃するに当たり、把持部分付き製品を回転駆動手段の回転軸にチャッキングする装置であって、前記回転駆動手段の回転軸の先端にこれの回転中心線と同心して固着された基体と、この基体の回転中心線の指向方向へ移動してこれに対して接近・隔離可能にして基体に装着され基体の回転中心線と同心する製品挿通孔を有する締付け体と、前記基体と前記締付け体との間に配設され前記製品挿通孔と同心状に連なるとともに把持部分付き製品の把持部分の太さより若干小さい製品挿入用穴を有する弾性部材と、を備えて、把持部分付き製品の把持部分を前記製品挿入用穴に挿入する際には、前記基体に対し前記締付け体を接近させて前記弾性部材を圧縮変形させることにより、前記製品挿入用穴を押し広げて大きくすることが可能であることを特徴する。
【０００６】
このように構成されたものは、基体に対して締付け体を接近させて弾性部材を圧縮変形させ製品挿入用穴を押し広げて大きくしたのち、把持部分付き製品の把持部分を製品挿入用穴に挿入するとともに把持部分付き製品の本体部分を締付け体の回転中心線の指向方向の端面に接触させる。次いで、締付け体を基体から離隔して弾性部材の製品挿入用穴を復元し、把持部分付き製品の把持部分を弾性部材によって把持する。そして、締付け体の基体からの離隔により、締付け体が把持部分付き製品の本体部分により強く接触することになるため、締付け体の製品挿通孔が開口するのを阻止してショットの浸入を防止することができる。
【発明の効果】
【０００７】
以上の説明から明らかなように本発明は、チャッキングする把持部分を有する把持部分付き製品を回転させながらこれにショットを投射して、把持部分付き製品を研掃するに当たり、把持部分付き製品を回転駆動手段の回転軸にチャッキングする装置であって、前記回転駆動手段の回転軸の先端にこれの回転中心線と同心して固着された基体と、この基体の回転中心線の指向方向へ移動してこれに対して接近・隔離可能にして基体に装着され基体の回転中心線と同心する製品挿通孔を有する締付け体と、前記基体と前記締付け体との間に配設され前記製品挿通孔と同心状に連なるとともに把持部分付き製品の把持部分の太さより若干小さい製品挿入用穴を有する弾性部材と、を備えて、把持部分付き製品の把持部分を前記製品挿入用穴に挿入する際には、前記基体に対し前記締付け体を接近させて前記弾性部材を圧縮変形させることにより、前記製品挿入用穴を押し広げて大きくすることが可能であるから、特に把持部分付き製品をチャッキングする場合、把持部分付き製品の把持部分を弾性部材によって把持した時、締付け体を基体から離隔して把持部分付き製品の本体部分に強く接触するため、締付け体の製品挿通孔が開口するのを確実に阻止してショットの浸入を防止することができるなどの優れた実用的効果を奏する。
【発明を実施するための最良の形態】
【０００８】
以下、本発明の研掃装置における把持部分付き製品のチャッキング装置の一実施例について図１に基づき詳細に説明する。図示するように、本把持部分付き製品のチャッキング装置は、図示しない回転駆動手段の回転軸の先端にこれの回転中心線と同心して螺着された基体１と、この基体１の回転中心線の指向方向へ移動してこれに対して接近・隔離可能にして基体１に装着され基体１の回転中心線と同心する製品挿通孔２を有する締付け体３と、前記基体１と前記締付け体３との間に配設され前記製品挿通孔２と同心状に連なるとともに製品の把持部分の太さより若干小さい（０．１〜０．２ｍｍ）製品挿入用穴４を有する弾性部材５と、で構成してある。
【０００９】
そして、前記基体１と前記締付け体３とにはそれぞれ調整ねじとして雄ねじおよび雌ねじが刻設してあって、前記製品挿入用穴４の大きさと把持部分付き製品Ｗの把持部分の太さとの差異に対応させて前記締付け体３の前記基材１への接近量を調整し、弾性部材５の圧縮量を変更することにより、前記製品挿入用穴４の大きさを調整することができるようになっている。
【００１０】
なお、前記基体１は、外面の一端部を二面取りした有底円筒体を逆置した形状を成しかつ上部の中央に前記回転駆動手段の回転軸を螺着する雌ねじが刻設してある。
またなお、前記締付け体３は有底円筒状を成しかつ底部に前記製品挿通孔２を形成した形状になっている。
またなお、前記弾性部材５は、ウレタンゴムで製作してあって、前記基体１の凹み内に挿入可能な直径を有する円柱状を成し、かつ、ショットを排出させるための貫通孔６が念のために設けてある。
【００１１】
このように構成したものは、基体１に対して締付け体３を接近させて弾性部材５を圧縮変形させ製品挿入用穴４を押し広げて大きくしたのち、把持部分付き製品Ｗの把持部分を製品挿入用穴４に挿入するとともにその本体部分を締付け体３の回転中心線の指向方向端面に接触させ、続いて、締付け体３を基体１から離隔して弾性部材５を復元し、把持部分付き製品Ｗの把持部分を弾性部材５によって把持する。そして、締付け体３が基体１から離隔することにより、締付け体３が把持部分付き製品Ｗの本体部分に、より強く接触することになるため、締付け体３の製品挿通孔２が開口することはない。
【図面の簡単な説明】
【００１２】
【図１】本発明の一実施例の縦断正面図である。
【符号の説明】
【００１３】
１    基体
２    製品挿通孔
３    締付け体
４    製品挿入用穴
５    弾性部材
【図１】
2007196296.tif 000003